(57)【要約】【課題】  バンドとケースとの一体感を得ることができるバンド取付装置およびそれを備えた時計を提供する。【解決手段】  バンド取付部１３が設けられた腕時計ケース１と、バンド取付部１３に配置されるバンド装着部１４が設けられた時計バンド１０と、バンド装着部１４をバンド取付部１３に取り付ける第１の取付部材１５と、この第１の取付部材１５の近傍に位置して、時計バンド１０を腕時計ケース１に対して取り付ける第２の取付部材１６と、を備えている。従って、第１の取付部材１５と第２の取付部材１６とによって、バンド装着部１４をバンド取付部１３に対して回転させないように取り付けることができるので、時計バンド１０と腕時計ケース１との合わせ目に隙間が生じないようにすることができ、これにより時計バンド１０と腕時計ケース１との一体感を得ることができる。【選択図】        図２
2018094019.tif 000002
【特許請求の範囲】
【請求項１】
バンド取付部が設けられたケースと、
前記バンド取付部に配置され、前記ケースに当接または接近する境界部が表面に設けられたバンドと、
前記バンドを前記バンド取付部に固定する第１の取付部材と、
前記第１の取付部材の近傍に位置して、前記バンドを前記ケースに対して取り付ける第２の取付部材と、
を備え、
前記第１の取付部材は、前記バンドの前記境界部より前記ケース側に備えていることを特徴とするバンド取付装置。
【請求項２】
請求項１に記載のバンド取付装置において、前記第２の取付部材は、前記ケースから前記第１の取付部材よりも前記バンドの長手方向に離れた位置で、前記バンドを前記ケースに対して取り付けることを特徴とするバンド取付装置。
【請求項３】
請求項１または請求項２に記載のバンド取付装置において、前記第１の取付部材は、前記バンド取付部に設けられた取付孔と前記バンド装着部に前記取付孔と同一軸上に対応して設けられた連通孔とに挿入するピン状部材であり、前記第２の取付部材は、前記バンドに係止されて前記ケースの外面に配置されることにより、前記ケースを保護する線状のプロテクタの一部であることを特徴とするバンド取付装置。
【請求項４】
請求項３に記載のバンド取付装置において、前記バンドには、前記第２の取付部材である前記プロテクタの前記一部を係止する係止部が設けられていることを特徴とするバンド取付装置。
【請求項５】
請求項１または請求項２に記載のバンド取付装置において、前記第１の取付部材は、前記バンド取付部に設けられた第１の取付孔と前記バンド装着部に前記第１の取付孔と同一軸上に対応して設けられた第１の連通孔とに挿入するピン状部材であり、前記第２の取付部材は、前記バンド取付部に設けられた第２の取付孔と前記バンド装着部に前記第２の取付孔と同一軸上に対応して設けられた第２の連通孔とに挿入するピン状部材であることを特徴とするバンド取付装置。
【請求項６】
請求項５に記載のバンド取付装置において、前記バンド取付部の両側部に一対の補助部材が前記バンドの長手方向に延長されて設けられ、前記一対の補助部材間に前記バンド装着部が前記第１の取付部材と前記第２の取付部材とによって取り付けられていることを特徴とするバンド取付装置。
【請求項７】
請求項５または請求項６に記載のバンド取付装置において、前記第１の取付部材と前記第２の取付部材との前記ピン状部材は、パイプ部の両端部に係止ピンが出没可能に弾力的に突出して設けられたばね棒であることを特徴とするバンド取付装置。
【請求項８】
請求項５〜請求項７のいずれかに記載のバンド取付装置において、前記第１の取付部材と前記第２の取付部材とはそれぞれ前記ばね棒であり、前記２本のばね棒のうち、１本のばね棒で前記バンド装着部を前記バンド取付部に対して取り付け、この取り付けられた前記１本のばね棒を中心に前記バンド装着部を回転させて前記バンド取付部に対して変位させ、この変位した前記バンド装着部に他の１本のばね棒の前記パイプ部を挿入させた上、前記バンド取付部に対する前記バンド装着部の変位を元の状態に戻して前記他の１本のばね棒の前記係止ピンを前記バンド取付部に対して係止させることにより、前記２本のばね棒で前記バンド装着部を前記バンド取付部に取り付けたことを特徴とするバンド取付装置。
【請求項９】
請求項１〜請求項８のいずれかに記載されたバンド取付装置を備えていることを特徴とする時計。
【発明の詳細な説明】
【技術分野】
【０００１】
この発明は、腕時計などの腕装着装置やバッグ、鞄などに用いられるバンド取付装置およびそれを備えた時計に関する。
【背景技術】
【０００２】
例えば、腕時計のバンド取付装置においては、特許文献１に記載されているように、腕時計ケースのバンド取付部にシリコーン樹脂やウレタン樹脂などの軟質の合成樹脂で形成された時計バンドを取り付けるために、時計バンドの端部にこれを補強するための補強部材を取り付け、この補強部材と共に時計バンドの端部を腕時計ケースのバンド取付部に取り付けるように構成されたものが知られている。
【先行技術文献】
【特許文献】
【０００３】
【特許文献１】特開２０１５−１３６５４７号公報
【０００４】
この種のバンド取付装置は、時計バンドの端部に装着凹部を設け、この装着凹部内に補強部材を第１のピン部材によって取り付け、この補強部材と共に時計バンドの端部を腕時計ケースのバンド取付部に第２のピン部材で取り付けることにより、第２のピン部材を中心に時計バンドの端部が腕時計ケースのバンド取付部に回転可能に取り付けられるように構成されている。
【発明の概要】
【発明が解決しようとする課題】
【０００５】
しかしながら、このような腕時計のバンド取付装置では、第２のピン部材によって時計バンドの端部を補強部材と共に腕時計ケースのバンド取付部に取り付けた構成であるから、時計バンドの端部が第２のピン部材を中心に回転するため、時計バンドの端部と腕時計ケースとの合わせ目に隙間が生じ易くなり、時計バンドと腕時計ケースとの一体感が得られないという問題がある。
【０００６】
この発明が解決しようとする課題は、バンドとケースとの一体感を得ることができるバンド取付装置およびそれを備えた時計を提供することである。
【課題を解決するための手段】
【０００７】
この発明は、バンド取付部が設けられたケースと、前記バンド取付部に配置され、前記ケースに当接または接近する境界部が表面に設けられたバンドと、前記バンドを前記バンド取付部に固定する第１の取付部材と、前記第１の取付部材の近傍に位置して、前記バンドを前記ケースに対して取り付ける第２の取付部材と、を備え、前記第１の取付部材は、前記バンドの前記境界部より前記ケース側に備えていることを特徴とするバンド取付装置である。
【発明の効果】
【０００８】
この発明によれば、第１の取付部材と第２の取付部材とによって、バンドをケースのバンド取付部に対して回転させないように取り付けることができるので、バンドとケースとの合わせ目に隙間が生じないようにすることができ、これによりバンドとケースとの一体感を得ることができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】図２に示されたバンド取付装置のＢ−Ｂ矢視における要部を示した拡大断面図である。
【図４】この発明を腕時計に適用した第２実施形態において、その要部を示した拡大断面図である。
【図５】図４に示されたバンド取付装置のＣ−Ｃ矢視における要部を示した拡大断面図である。
【図６】図４に示された第２実施形態の変形例を示した要部の拡大断面図である。
【図７】この発明を腕時計に適用した第３実施形態において、時計バンドを取り外した状態における要部を示した拡大断面図である。
【図８】図７に示されたバンド取付装置において、時計バンドを取り付けた状態のＤ−Ｄ矢視における要部を示した拡大断面図である。
【発明を実施するための形態】
【００１０】
（第１実施形態）
以下、図１〜図３を参照して、この発明を腕時計に適用した第１実施形態について説明する。
この腕時計は、図１および図２に示すように、腕時計ケース１を備えている。この腕時計ケース１は、ケース本体２と外装部材３とで構成されている。ケース本体２は、硬質の合成樹脂で形成され、その内部に金属製の補強部材２ａが埋め込まれた構成になっている。外装部材３は、ウレタン樹脂などの軟質の合成樹脂で形成され、ケース本体２の外周部に取り付けられるように構成されている。
【００１１】
この腕時計ケース１の上部開口部、つまりケース本体２の上部開口部には、図１および図２に示すように、時計ガラス４がガラスパッキン４ａを介して取り付けられている。この腕時計ケース１の下部、つまりケース本体２の下部には、裏蓋５が防水リング５ａを介して取り付けられている。
【００１２】
また、この腕時計ケース１の内部、つまりケース本体２の内部には、図２に示すように、時計モジュール６が設けられている。この時計モジュール６は、図示ないが、指針を運針させて時刻を指示すると時計ムーブメント、時刻や日付、曜日などの情報を電気光学的に表示する表示部、これらを電気的に駆動する回路部などの時計機能に必要な各種の電子部品を備えている。
【００１３】
また、この腕時計ケース１は、図１に示すように、２時側、４時側、８時側、１０時側に複数のスイッチ部７が設けられた構成になっている。さらに、この腕時計ケース１は、その１２時側と６時側とに時計バンド１０がバンド取付装置１１によって取り付けられている共に、腕時計ケース１の外面にプロテクタ１２が設けられた構成になっている。
【００１４】
この場合、プロテクタ１２は、図１に示すように、ワイヤーなどの線状部材を折り曲げたものであり、金属または硬質の合成樹脂で形成されている。このプロテクタ１２は、１２時側と６時側とに位置する時計バンド１０に係止された状態で、外装部材３の上面における両側、つまり１時側と５時側との間の箇所、および７時側と１１時側との間の箇所に亘って連続して設けられていることにより、腕時計ケース１を保護するように構成されている。
【００１５】
ところで、バンド取付装置１１は、図２および図３に示すように、腕時計ケース１のケース本体２に設けられたバンド取付部１３と、時計バンド１０の端部に設けられてバンド取付部１３に配置されるバンド装着部１４と、このバンド装着部１４をバンド取付部１３に取り付ける第１の取付部材１５と、この第１の取付部材１５の近傍に位置して、時計バンド１０を腕時計ケース１に対して取り付ける第２の取付部材１６と、を備えている。
【００１６】
腕時計ケース１のバンド取付部１３は、図２および図３に示すように、腕時計ケース１のケース本体２の外周面から突出した一対の突起部１３ａを備え、これら一対の突起部１３ａの上部にケース本体２と外装部材３との庇部１ａが設けられた構成になっている。時計バンド１は、シリコーン樹脂やウレタン樹脂などの屈曲自在な軟質の合成樹脂で形成されている。この時計バンド１０のバンド装着部１４は、時計バンド１０の端部に形成され、バンド取付部１３の一対の突起部１３ａ間に配置されるように構成されている。
【００１７】
この場合、時計バンド１０のバンド装着部１４には、図２に示すように、腕時計ケース１のケース本体２における下部に弾接する第１当接部１０ａと、腕時計ケース１のケース本体２におけるバンド取付部１３の先端上部に位置する外装部材３に弾接する第２当接部１０ｂ（境界部）と、が設けられている。
【００１８】
これにより、時計バンド１０は、図２に示すように、バンド装着部１４がバンド取付部１３の一対の突起部１３ａ間に配置された際に、第１当接部１０ａがケース本体２の下部に下側から弾接し、第２当接部１０ｂがバンド取付部１３の先端上部に位置するケース本体２と外装部材３との庇部１ａに下側から弾接するように構成されている。また、第２当接部１０ｂは弾接していなくても良く、腕時計ケース１に当接または近接していれば良い。
【００１９】
第１の取付部材１５と第２の取付部材１６とは、図２および図３に示すように、時計バンド１０の長手方向に互いに離れた位置で、かつ時計バンド１０の長手方向と直交する状態で、時計バンド１０を腕時計ケース１に対して取り付けるように構成されている。すなわち、第１の取付部材１５は、ケース本体２に近い位置で、バンド装着部１４をバンド取付部１３に取り付ける。第２の取付部材１６は、第１の取付部材１５よりもケース本体２から離れた位置で、腕時計ケース１に対して固定されて、時計バンド１０を腕時計ケース１に取り付ける。
【００２０】
第１の取付部材１５は、図２および図３に示すように、ピン状部材であり、バンド取付部１３の一対の突起部１３ａに同一軸上に対応した状態で、時計バンド１０の長手方向と直交する方向に設けられた一対の取付孔１３ｂと、時計バンド１０のバンド装着部１４に一対の取付孔１３ｂと同一軸上に対応した状態で、時計バンド１０の長手方向と直交する方向に設けられた連通孔１４ａと、に挿入するように構成されている。
【００２１】
この場合、一対の取付孔１３ｂは、図２および図３に示すように、一対の突起部１３ａに時計バンド１０の長手方向と直交する方向に貫通しない状態で設けられているが、貫通した状態で設けられていても良い。また、連通孔１４ａは、その内径が一対の取付孔１３ｂの各内径よりも大きく、かつその軸方向の長さがバンド装着部１４における時計バンド１０の長手方向と直交する方向の長さと同じで、バンド装着部１４に貫通して設けられている。
【００２２】
このピン状部材である第１の取付部材１５は、図３に示すように、ばね棒であり、バンド装着部１４の連通孔１４ａに挿入するパイプ部１５ａと、このパイプ部１５ａ内の両端部に出没可能に設けられて、バンド取付部１３の一対の突起部１３ａに設けられた一対の取付孔１３ｂに挿入する一対の係止ピン１５ｂと、パイプ部１５ａの内部に設けられて一対の係止ピン１５ｂを弾力的に押し出す方向に付勢するばね部材１５ｃと、を備えている。
【００２３】
この場合、パイプ部１５ａは、図３に示すように、その外径がバンド装着部１４の連通孔１４ａの内径と同じ大きさで、その軸方向の長さが連通孔１４ａの軸方向の長さとほぼ同じ長さに形成されている。一対の係止ピン１５ｂは、その外径がパイプ部１５ａの外径よりも小さく、かつ一対の突起部１３ａの各取付孔１３ｂの内径とほぼ同じ大きさで、その各軸方向の長さが各取付孔１３ｂの軸方向の長さよりも少し短い長さで形成されている。
【００２４】
これにより、ばね棒である第１の取付部材１５は、図２および図３に示すように、時計バンド１０のバンド装着部１４に設けられた連通孔１４ａにパイプ部１５ａが挿入されて、時計バンド１０のバンド装着部１４が腕時計ケース１のバンド取付部１３における一対の突起部１３ａ間に配置された際に、一対の係止ピン１５ｂがばね部材１５ｃのばね力によって押し出されて一対の突起部１３ａの各取付孔１３ｂに挿入されることにより、時計バンド１０のバンド装着部１４を腕時計ケース１のバンド取付部１３に取り付けるように構成されている。
【００２５】
一方、第２の取付部材１６は、図１〜図３に示すように、腕時計ケース１を保護するプロテクタ１２の一部であり、腕時計ケース１のバンド取付部１３から時計バンド１０の長手方向に離れた時計バンド１０の箇所に設けられた係止部１７に係止されるように構成されている。これにより、第２の取付部材１６は、第１の取付部材１５の近傍に位置して、時計バンド１０の係止部１７に係止されることにより、時計バンド１０を腕時計ケース１のバンド取付部１３に押し付けて腕時計ケース１に取り付けるように構成されている。
【００２６】
すなわち、この第２の取付部材１６は、図１〜図３に示すように、時計バンド１０にその長手方向と直交して対応するプロテクタ１２の１２時側と６時側とに位置する箇所の線状部である。このため、この第２の取付部材１６は、プロテクタ１２と兼用した構成になっている。
【００２７】
また、係止部１７は、図２および図３に示すように、時計バンド１０にその長手方向と直交する方向に設けられたほぼ矩形状の溝であり、その表面側（上面側）から裏面側（下面側）に向けてほぼ水平方向、つまり時計ガラス４および裏蓋５の各面方向と平行な方向に切り欠かれて、一対の突起部１３ａの各表面側に開放された構成になっている。
【００２８】
これにより、第２の取付部材１６は、図１〜図３に示すように、プロテクタ１２を腕時計ケース１に取り付ける際に、第２の取付部材１６であるプロテクタ１２の一部の線状部が、時計バンド１０に設けられた係止部１７に挿入されて係止されることにより、時計バンド１０を腕時計ケース１のバンド取付部１３に押し付けて腕時計ケース１に取り付けるように構成されている。
【００２９】
次に、このような腕時計のバンド取付装置１１の作用について説明する。
このバンド取付装置１１によって腕時計ケース１に時計バンド１０を取り付ける場合には、まず、第１の取付部材１５によって腕時計ケース１のバンド取付部１３に時計バンド１０のバンド装着部１４を取り付ける。
【００３０】
このときには、予め、第１の取付部材１５を時計バンド１０のバンド装着部１４に取り付ける。すなわち、時計バンド１０のバンド装着部１４に設けられた連通孔１４ａに第１の取付部材１５のパイプ部１５ａを挿入させ、このパイプ部１５ａの両端部からばね部材１５ｃのばね力によって押し出された一対の係止ピン１５ｂをバンド装着部１４の両側部から突出させる。
【００３１】
この状態で、第１の取付部材１５が取り付けられた時計バンド１０のバンド装着部１４を腕時計ケース１のバンド取付部１３における一対の突起部１３ａ間に配置させる際には、バンド装着部１４の両側部から突出した第１の取付部材１５の一対の係止ピン１５ｂをばね部材１５ｃのばね力に抗してパイプ部１５ａの両端部内に押し込む。
【００３２】
この状態で、時計バンド１０のバンド装着部１４を腕時計ケース１のバンド取付部１３における一対の突起部１３ａ間に配置させて、一対の突起部１３ａの各取付孔１３ｂとバンド装着部１４の連通孔１４ａとを同一軸上に対応させる。すると、バンド装着部１４の連通孔１４ａ内に挿入された第１の取付部材１５の一対の係止ピン１５ｂがばね部材１５ｃのばね力によってパイプ部１５ａの両端部から押し出されて一対の突起部１３ａの各取付孔１３ｂにそれぞれ挿入される。
【００３３】
これにより、時計バンド１０のバンド装着部１４に設けられた連通孔１４ａに第１の取付部材１５のパイプ部１５ａが挿入され、かつ第１の取付部材１５の一対の係止ピン１５ｂがばね部材１５ｃのばね力によって押し出されて腕時計ケース１のバンド取付部１３における一対の突起部１３ａの各取付孔１３ｂに挿入されていることにより、第１の取付部材１５によって時計バンド１０のバンド装着部１４が腕時計ケース１のバンド取付部１３に取り付けられる。
【００３４】
このときには、時計バンド１０の端部に設けられた第１当接部１０ａがケース本体２の下部に下側から弾接し、第２当接部１０ｂがバンド取付部１３の先端上部に位置するケース本体２と外装部材３との庇部１ａに下側から弾接する。これにより、時計バンド１０のバンド装着部１４が第１の取付部材１５を中心に腕時計ケース１のバンド取付部１３に対して回転しないように取り付けられる。
【００３５】
そして、腕時計ケース１の外面にプロテクタ１２を取り付け、このプロテクタ１２の一部の線状部である第２の取付部材１６によって、１２時側と６時側とに位置する時計バンド１０を、１２時側と６時側とに位置する腕時計ケース１の各バンド取付部１３に押し付けて腕時計ケース１に取り付ける。
【００３６】
このときには、プロテクタ１２を腕時計ケース１の外装部材３の上面における両側、つまり１時側と５時側との間の箇所、および７時側と１１時側との間の箇所に亘って連続させて配置させ、この状態で１２時側と６時側とに位置するプロテクタ１２の一部の線状部である第２の取付部材１６を時計バンド１０に設けられた係止部１７に係止させる。これにより、腕時計ケース１の外面にプロテクタ１２が取り付けられる。
【００３７】
このように、プロテクタ１２を腕時計ケース１の外面に取り付ける際には、プロテクタの一部である第２の取付部材１６を、時計バンド１０に設けられた係止部１７に食い込ませて係止させることにより、プロテクタの一部である第２の取付部材１６が時計バンド１０のバンド装着部１４を腕時計ケース１のバンド取付部１３に押し付けた状態で、プロテクタ１２が腕時計ケース１の外面に取り付けられる。
【００３８】
これにより、プロテクタ１２の一部の線状部である第２の取付部材１６が時計バンド１０の係止部１７ｂに係止されていることにより、この第２の取付部材１６が、第１の取付部材１５の近傍に位置した状態で、時計バンド１０のバンド装着部１４を腕時計ケース１のバンド取付部１３に押し付ける。
【００３９】
このため、時計バンド１０の端部に設けられた第１当接部１０ａがケース本体２の下部に下側から弾接し、第２当接部１０ｂがバンド取付部１３の先端上部に位置するケース本体２と外装部材３との庇部１ａに下側から弾接し、かつ時計バンド１０のバンド装着部１４が腕時計ケース１のバンド取付部１３に押し付けられた状態で、プロテクタ１２の一部の線状部である第２の取付部材１６によって時計バンド１０が腕時計ケース１に取り付けられる。
【００４０】
このような腕時計を時計バンド１０によって腕に取り付けて使用する際には、腕時計ケース１のバンド取付部１３に時計バンド１０のバンド装着部１４が第１の取付部材１５によって取り付けられ、この第１の取付部材１５の近傍において、第２の取付部材１６が時計バンド１０を腕時計ケース１に取り付けていることにより、時計バンド１０のバンド装着部１４が腕時計ケース１のバンド取付部１３に対して回転したり変形したりすることがない。
【００４１】
このため、時計バンド１０のバンド装着部１４が第１の取付部材１５と第２の取付部材１６とによって腕時計ケース１のバンド取付部１３に対して固定されているので、時計バンド１０が軟質の合成樹脂で形成されていても、腕時計を腕に取り付けた際、または取り外した際に、バンド装着部１４がバンド取付部１３に対して回転したり変形したりすることがない。これにより、時計バンド１０と腕時計ケース１との合わせ目に隙間が生じることがないため、時計バンド１０と腕時計ケース１との一体感が得られる。
【００４２】
このように、この腕時計のバンド取付装置１１によれば、腕時計ケース１に設けられたバンド取付部１３と、時計バンド１０の端部に設けられてバンド取付部１３に配置されるバンド装着部１４と、このバンド装着部１４をバンド取付部１３に取り付ける第１の取付部材１５と、この第１の取付部材１５の近傍に位置して、時計バンド１０を腕時計ケース１に対して取り付ける第２の取付部材１６と、を備えていることにより、時計バンド１０と腕時計ケース１との一体感を得ることができる。
【００４３】
すなわち、この腕時計のバンド取付装置１１では、互いに異なる位置の第１の取付部材１５と第２の取付部材１６とによって、時計バンド１０を腕時計ケース１に対して取り付けているので、これら第１の取付部材１５と第２の取付部材１６とによって、時計バンド１０のバンド装着部１４が腕時計ケース１のバンド取付部１３に対して回転したり変形したりしないように、バンド装着部１４をバンド取付部１３に対して取り付けることができる。
【００４４】
このため、この腕時計のバンド取付装置１１では、時計バンド１０が軟質の合成樹脂で形成されていても、腕時計ケース１を腕に取り付けたり取り外したりした際に、バンド装着部１４がバンド取付部１３に対して回転したり変形したりすることがないので、時計バンド１０と腕時計ケース１との合わせ目に隙間が生じないようにすることができ、これにより時計バンド１０と腕時計ケース１との一体感を得ることができる。
【００４５】
この場合、第２の取付部材１６は、腕時計ケース１から第１の取付部材１５よりも時計バンド１０の長手方向に離れた位置で、時計バンド１０を腕時計ケース１に取り付けていることにより、時計バンド１０の長手方向に互いに離れた第１の取付部材１５と第２の取付部材１６とによって時計バンド１０のバンド装着部１４が腕時計ケース１のバンド取付部１３に対して回転したり変形したりすることがなく、時計バンド１０を腕時計ケース１に確実にかつ良好に取り付けることができる。
【００４６】
また、このバンド取付装置１１では、第１の取付部材１５が、バンド取付部１３の一対の突起部１３ａに設けられた一対の取付孔１３ｂと、バンド装着部１４に一対の取付孔１３ｂと同一軸上に対応して設けられた連通孔１４ａと、に挿入するピン状部材であり、第２の取付部材１６が、時計バンド１０に係止されて腕時計ケース１の外面に配置されることにより、腕時計ケース１を保護する線状のプロテクタ１２の一部であることにより、第１の取付部材１５と第２の取付部材１６とで時計バンド１０を腕時計ケース１に確実にかつ良好に取り付けることができると共に、部品点数を削減することができる。
【００４７】
この場合、ピン状部材である第１の取付部材１５は、パイプ部１５ａと、このパイプ部１５ａの両端部に出没可能に設けられた一対の係止ピン１５ｂと、パイプ部１５ａの内部に設けられて一対の係止ピン１５ｂを弾力的に押し出す方向に付勢するばね部材１５ｃと、を備えたばね棒であることにより、時計バンド１０のバンド装着部１４を腕時計ケース１のバンド取付部１３に簡単にかつ確実に取り付けることができる。
【００４８】
すなわち、ばね棒である第１の取付部材１５は、時計バンド１０のバンド装着部１４に設けられた連通孔１４ａにパイプ部１５ａを挿入させて、バンド装着部１４を腕時計ケース１のバンド取付部１３の一対の突起部１３ａ間に配置させた際に、一対の係止ピン１５ｂをばね部材１５ｃのばね力によって押し出して一対の突起部１３ａの各取付孔１３ｂに挿入させることができるので、時計バンド１０のバンド装着部１４を腕時計ケース１のバンド取付部１３に簡単にかつ確実に取り付けることができる。
【００４９】
また、第２の取付部材１６は、腕時計ケース１の外面に配置されて腕時計ケース１を保護する線状のプロテクタ１２の一部であることにより、第２の取付部材１６をプロテクタ１２と兼用することができるので、別部品としての第２の取付部材１６を必要としないため、部品点数を削減することができると共に、プロテクタ１２の一部である第２の取付部材１６を時計バンド１０に係止させるだけであるから、時計バンド１０を腕時計ケース１に簡単にかつ確実に取り付けることができる。
【００５０】
この場合、第２の取付部材１６は、時計バンド１０にその長手方向と直交する方向に設けられた係止部１７にプロテクタ１２の一部が食込んで係止される構成であるから、腕時計ケース１を保護する線状のプロテクタ１２を腕時計ケース１の外面に配置する際に、第２の取付部材１６であるプロテクタ１２の一部を時計バンド１０の係止部１７に食い込ませるだけで、第２の取付部材１６を時計バンド１０に簡単に係止させることができる。
【００５１】
このため、この第２の取付部材１６は、プロテクタ１２の一部を時計バンド１０にその長手方向と直交する方向に配置させることができるので、時計バンド１０のバンド装着部１４を腕時計ケース１のバンド取付部１３に押し付けて、時計バンド１０の端部に設けられた第１当接部１０ａをケース本体２の下部に下側から弾接させ、第２当接部１０ｂがバンド取付部１３の先端上部に位置するケース本体２と外装部材３との庇部１ａに下側から弾接させた状態で、腕時計ケース１に簡単にかつ確実に取り付けることができる。
【００５２】
この場合、係止部１７は、時計バンド１０にその表面側（上面側）から裏面側（下面側）に向けてほぼ水平方向に切り欠かれたほぼ矩形状の溝であり、表面側が開放された構成であるから、プロテクタ１２を腕時計ケース１の外面に配置する際に、そのプロテクタ１２の一部である第２の取付部材１６を係止部１７に容易に食い込ませて確実に係止させることができる。
【００５３】
なお、上述した第１実施形態では、時計バンド１０に設けられた係止部１７がほぼ矩形状の溝である場合について述べたが、この発明はこれに限らず、例えば時計バンド１０にその表面側に突出して設けられた突起部であっても良い。
【００５４】
（第２実施形態）
次に、図４および図５を参照して、この発明を腕時計に適用した第２実施形態について説明する。なお、図１〜図３に示された第１実施形態と同一部分には同一符号を付して説明する。
この腕時計は、図４および図５に示すように、バンド取付装置２０の第２の取付部材２１が第１実施形態と異なる構成であり、これ以外は第１実施形態とほぼ同じ構成になっている。
【００５５】
このバンド取付装置２０は、図４および図５に示すように、腕時計ケース１に設けられたバンド取付部１３と、時計バンド１０の端部に設けられてバンド取付部１３に配置されるバンド装着部１４と、このバンド装着部１４をバンド取付部１３に取り付ける第１の取付部材１５と、この第１の取付部材１５の近傍に位置して、バンド装着部１４をバンド取付部１３に取り付ける第２の取付部材２１と、を備えている。
【００５６】
この場合、腕時計ケース１のバンド取付部１３は、図４および図５に示すように、ケース本体２から外部に向けて突出する一対の突起部２２の突出長さが、第１実施形態の一対の突起部１３ａよりも長く形成されている。これにより、バンド取付部１３は、第１の取付部材１５と第２の取付部材２１とが時計バンド１０の長手方向に互いに離れた状態で取り付けられるように構成されている。
【００５７】
また、これら第１の取付部材１５と第２の取付部材２１とは、図４および図５に示すように、時計バンド１０の長手方向に互いに離れた位置で、かつ時計バンド１０の長手方向と直交する状態で、バンド装着部１４をバンド取付部１３に取り付けるように構成されている。すなわち、第１の取付部材１５は、ケース本体２に近い位置で、バンド装着部１４をバンド取付部１３に取り付ける。第２の取付部材２１は、第１の取付部材１５よりもケース本体２から離れた位置で、バンド装着部１４をバンド取付部１３に取り付ける。
【００５８】
第１の取付部材１５は、図４および図５に示すように、第１実施形態と同様、ピン状部材であり、バンド取付部１３の一対の突起部２２に同一軸上に対応した状態で、時計バンド１０の長手方向と直交する方向に設けられた一対の第１取付孔２２ａと、時計バンド１０のバンド装着部１４に一対の第１取付孔２２ａと同一軸上に対応した状態で、時計バンド１０の長手方向と直交する方向に設けられた第１連通孔１４ｂと、に挿入するように構成されている。
【００５９】
この場合、一対の第１取付孔２２ａは、図４および図５に示すように、一対の突起部２２に時計バンド１０の長手方向と直交する方向に貫通しない状態で設けられているが、貫通した状態で設けられていても良い。また、第１連通孔１４ｂは、その内径が一対の第１取付孔２２ａの各内径よりも大きく、かつその軸方向の長さがバンド装着部１４における時計バンド１０の長手方向と直交する方向の長さと同じで、バンド装着部１４に貫通して形成されている。
【００６０】
第２の取付部材２１は、図４および図５に示すように、第１の取付部材１５と同様、ピン状部材であり、バンド取付部１３の一対の突起部２２に同一軸上に対応した状態で、時計バンド１０の長手方向と直交する方向に設けられた一対の第２取付孔２２ｂと、時計バンド１０のバンド装着部１４に一対の第２取付孔２２ｂと同一軸上に対応した状態で、時計バンド１０の長手方向と直交する方向に設けられた第２連通孔１４ｃとに挿入するように構成されている。
【００６１】
この場合にも、一対の第２取付孔２２ｂは、図４および図５に示すように、一対の突起部２２に時計バンド１０の長手方向と直交する方向に貫通しない状態で設けられているが、貫通した状態で設けられていても良い。また、第２連通孔１４ｃは、その内径が一対の第２取付孔２２ｂの各内径よりも大きく、かつその軸方向の長さがバンド装着部１４における時計バンド１０の長手方向と直交する方向の長さと同じで、バンド装着部１４に貫通して形成されている。
【００６２】
この場合、第１取付孔２２ａと第２取付孔２２ｂとは、図４および図５に示すように、その内径および軸方向の長さが同じ大きさで、時計バンド１０の長手方向に互いに離れた位置に設けられている。また、第１連通孔１４ｂと第２連通孔１４ｃとは、その内径および軸方向の長さが同じ大きさで、時計バンド１０の長手方向に互いに離れた位置に設けられている。このため、第１の取付部材１５と第２の取付部材２１とは、同じ大きさで同じ形状に形成され、部品の共通化が図られるように構成されている。
【００６３】
また、第１の取付部材１５と第２の取付部材２１との各ピン状部材は、図４および図５に示すように、第１実施形態と同様、ばね棒であり、バンド装着部１４の第１連通孔１４ｂと第２連通孔１４ｃとに挿入するパイプ部１５ａと、このパイプ部１５ａ内の両端部に出没可能に設けられて、バンド取付部１３の一対の突起部２２に設けられた各第１取付孔２２ａと各第２取付孔２２ｂとに挿入する一対の係止ピン１５ｂと、パイプ部１５ａの内部に設けられて一対の係止ピン１５ｂを弾力的に押し出す方向に付勢するばね部材１５ｃと、を備えている。
【００６４】
この場合、パイプ部１５ａは、図５に示すように、その外径がバンド装着部１４の第１連通孔１４ｂと第２連通孔１４ｃとの各内径と同じ大きさで、その軸方向の長さが第１連通孔１４ｂと第２連通孔１４ｃとの各軸方向の長さと同じ長さに形成されている。一対の係止ピン１５ｂは、その外径がパイプ部１５ａの外径よりも小さく、かつ一対の突起部２２の各第１取付孔２２ａと各第２取付孔２２ｂとの各内径とほぼ同じ大きさで、その各軸方向の長さが各第１取付孔２２ａと各第２取付孔２２ｂとの各軸方向の長さよりも少し短い長さで形成されている。
【００６５】
これにより、ばね棒である第１の取付部材１５は、図４および図５に示すように、時計バンド１０のバンド装着部１４に設けられた第１連通孔１４ｂにパイプ部１５ａが挿入されて、時計バンド１０のバンド装着部１４が腕時計ケース１のバンド取付部１３における一対の突起部２２間に配置された際に、一対の係止ピン１５ｂがばね部材１５ｃのばね力によって押し出されて一対の突起部２２の各第１取付孔２２ａに挿入されることにより、時計バンド１０のバンド装着部１４を腕時計ケース１のバンド取付部１３に取り付けるように構成されている。
【００６６】
また、ばね棒である第２の取付部材２１は、図４および図５に示すように、時計バンド１０のバンド装着部１４に設けられた第２連通孔１４ｃにパイプ部１５ａが挿入されて、時計バンド１０のバンド装着部１４が腕時計ケース１のバンド取付部１３における一対の突起部２２間に配置された際に、一対の係止ピン１５ｂがばね部材１５ｃのばね力によって押し出されて一対の突起部２２の各第２取付孔２２ｂに挿入されることにより、第１の取付部材１５の近傍において、時計バンド１０のバンド装着部１４を腕時計ケース１のバンド取付部１３に取り付けるように構成されている。
【００６７】
この場合、時計バンド１０には、図４に示すように、時計バンド１０を屈曲させ易くするための屈曲溝２３が、腕時計ケース１からバンド取付部１３よりも時計バンド１０の長手方向に離れた位置で、かつ時計バンドの長手方向と直交する方向に設けられている。これにより、時計バンド１０は、バンド装着部１４から時計バンド１０の長手方向に離れた位置で、屈曲溝２３を中心に回転方向に屈曲するように構成されている。
【００６８】
次に、このような腕時計のバンド取付装置２０の作用について説明する。
このバンド取付装置２０によって腕時計ケース１に時計バンド１０を取り付ける場合には、第１の取付部材１５と第２の取付部材２１とのうち、例えば第１の取付部材１５によって腕時計ケース１のバンド取付部１３に時計バンド１０のバンド装着部１４を取り付ける。
【００６９】
このときには、第１実施形態と同様、時計バンド１０のバンド装着部１４に設けられた第１連通孔１４ｂに第１の取付部材１５のパイプ部１５ａを挿入させて、バンド装着部１４の両側部から突出した第１の取付部材１５の一対の係止ピン１５ｂをばね部材１５ｃのばね力に抗してパイプ部１５ａの両端部内に押し込む。この状態で、第１の取付部材１５が取り付けられた時計バンド１０のバンド装着部１４を腕時計ケース１のバンド取付部１３における一対の突起部２２間に配置させる。
【００７０】
そして、腕時計ケース１のバンド取付部１３における一対の突起部２２の各第１取付孔２２ａと時計バンド１０のバンド装着部１４の第１連通孔１４ｂとを同一軸上に対応させる。すると、バンド装着部１４の第１連通孔１４ｂ内に挿入された第１の取付部材１５の一対の係止ピン１５ｂがばね部材１５ｃのばね力によってパイプ部１５ａの両端部から押し出されて一対の突起部２２の各第１取付孔２２ａにそれぞれ挿入される。
【００７１】
これにより、第１実施形態と同様、時計バンド１０のバンド装着部１４に設けられた第１連通孔１４ｂに第１の取付部材１５のパイプ部１５ａが挿入され、かつ第１の取付部材１５の一対の係止ピン１５ｂが腕時計ケース１のバンド取付部１３における一対の突起部２２の各第１取付孔２２ａに挿入されていることにより、第１の取付部材１５によって時計バンド１０のバンド装着部１４が腕時計ケース１のバンド取付部１３に取り付けられる。
【００７２】
このときには、第１実施形態と同様、時計バンド１０の端部に設けられた第１当接部１０ａがケース本体２の下部に下側から弾接し、第２当接部１０ｂがバンド取付部１３の先端上部に位置するケース本体２と外装部材３との庇部１ａに下側から弾接する。このため、時計バンド１０のバンド装着部１４が第１の取付部材１５を中心に腕時計ケース１のバンド取付部１３に対して回転しないように取り付けられる。
【００７３】
そして、第２の取付部材２１によって腕時計ケース１のバンド取付部１３に時計バンド１０のバンド装着部１４を取り付ける。このときには、ケース本体２の下部に弾接している第１当接部１０ａの弾力と、ケース本体２と外装部材３との庇部１ａに弾接している第２当接部１０ｂの弾力とに抗して、第１の取付部材１５を中心にバンド装着部１４を回転させる。すると、バンド装着部１４がバンド取付部１３の下側に向けて変形して変位し、バンド装着部１４の第２連通孔１４ｃが露出する。
【００７４】
この状態で、バンド装着部１４の第２連通孔１４ｃに第２の取付部材２１のパイプ部１５ａを挿入させる。そして、バンド装着部１４の両側部から突出した第２の取付部材２１の一対の係止ピン１５ｂをばね部材１５ｃのばね力に抗してパイプ部１５ａの両端部内に押し込む。この状態で、変形したバンド装着部１４の形状を元の形状に復帰させて、第２の取付部材２１が取り付けられたバンド装着部１４を腕時計ケース１のバンド取付部１３における一対の突起部２２間に再び配置させる。
【００７５】
そして、腕時計ケース１のバンド取付部１３における一対の突起部２２の各第２取付孔２２ｂと時計バンド１０のバンド装着部１４の第２連通孔１４ｃとを同一軸上に対応させる。すると、バンド装着部１４の第２連通孔１４ｃ内に挿入された第２の取付部材２１の一対の係止ピン１５ｂが、ばね部材１５ｃのばね力によってそれぞれパイプ部１５ａの両端部から押し出されて一対の突起部２２の各第２取付孔２２ｂに挿入される。
【００７６】
これにより、第２の取付部材２１が、腕時計ケース１のバンド取付部１３における一対の突起部２２の各第２取付孔２２ｂと、これに対応する時計バンド１０のバンド装着部１４の第２連通孔１４ｃと、に挿入されていることにより、第１の取付部材１５の近傍において、第２取付部材２１が時計バンド１０のバンド装着部１４を腕時計ケース１のバンド取付部１３に取り付ける。
【００７７】
このような腕時計を時計バンド１０によって腕に取り付けて使用する際には、腕時計ケース１のバンド取付部１３に時計バンド１０のバンド装着部１４が第１の取付部材１５と第２の取付部材２１とによって取り付けられていることにより、時計バンド１０のバンド装着部１４が腕時計ケース１のバンド取付部１３に対して回転したり変形したりすることがない。
【００７８】
このため、時計バンド１０のバンド装着部１４が第１の取付部材１５と第２の取付部材２１とによって腕時計ケース１のバンド取付部１３に固定されているので、時計バンド１０が軟質の合成樹脂で形成されていても、腕時計を腕に取り付けた際、または取り外した際に、時計バンド１０のバンド装着部１４が回転したり変形したりすることがない。これにより、時計バンド１０と腕時計ケース１との合わせ目に隙間が生じることがないので、時計バンド１０と腕時計ケース１との一体感が得られる。
【００７９】
このように、この腕時計のバンド取付装置２０によれば、腕時計ケース１に設けられたバンド取付部１３と、時計バンド１０の端部に設けられてバンド取付部１３に配置されるバンド装着部１４と、このバンド装着部１４をバンド取付部１３に取り付ける第１の取付部材１５と、この第１の取付部材１５の近傍に位置して、バンド装着部１４をバンド取付部１３に取り付ける第２の取付部材２１と、を備えていることにより、第１実施形態と同様、時計バンド１０と腕時計ケース１との一体感を得ることができる。
【００８０】
すなわち、この腕時計のバンド取付装置２０では、第１実施形態と同様、互いに異なる位置の第１の取付部材１５と第２の取付部材２１とによって、腕時計ケース１のバンド取付部１３に時計バンド１０のバンド装着部１４を取り付けているので、これら第１の取付部材１５と第２の取付部材２１とによって、時計バンド１０のバンド装着部１４を腕時計ケース１のバンド取付部１３に対して回転させないように取り付けることができる。
【００８１】
このため、この腕時計のバンド取付装置２０では、第１実施形態と同様、時計バンド１０が軟質の合成樹脂で形成されていても、腕時計を腕に取り付けたり取り外したりした際に、バンド装着部１４がバンド取付部１３に対して回転したり変形したりすることがないので、時計バンド１０と腕時計ケース１との合わせ目に隙間が生じないようにすることができ、これにより時計バンド１０と腕時計ケース１との一体感を得ることができる。
【００８２】
この場合、第２の取付部材２１は、第１実施形態と同様、腕時計ケース１から第１の取付部材１５よりも時計バンド１０の長手方向に離れた位置で、時計バンド１０のバンド装着部１４を腕時計ケース１のバンド取付部１３に取り付けていることにより、時計バンド１０の長手方向に互いに離れた第１の取付部材１５と第２の取付部材２１とを中心に時計バンド１０のバンド装着部１４が回転したり変形したりすることがなく、時計バンド１０のバンド装着部１４と腕時計ケース１のバンド取付部１３とを確実にかつ良好に取り付けることができる。
【００８３】
また、このバンド取付装置２０では、第１の取付部材１５が、バンド取付部１３の一対の突起部２２に設けられた第１取付孔２２ａと、バンド装着部１４に第１取付孔２２ａと同一軸上に対応して設けられた第１連通孔１４ｂと、に挿入するピン状部材であり、第２の取付部材２１が、バンド取付部１３の一対の突起部２２に設けられた第２取付孔２２ｂと、バンド装着部１４に第２取付孔２２ｂと同一軸上に対応して設けられた第２連通孔１４ｃと、に挿入するピン状部材であることにより、第１の取付部材１５と第２の取付部材２１とで時計バンド１０を腕時計ケース１に確実に取り付けることができる。
【００８４】
この場合、ピン状部材である第１の取付部材１５は、第１実施形態と同様、パイプ部１５ａと、このパイプ部１５ａの両端部に出没可能に設けられた一対の係止ピン１５ｂと、パイプ部１５ａの内部に設けられて一対の係止ピン１５ｂを弾力的に押し出す方向に付勢するばね部材１５ｃと、を備えたばね棒であることにより、時計バンド１０のバンド装着部１４を腕時計ケース１のバンド取付部１３に簡単にかつ確実に取り付けることができる。
【００８５】
すなわち、ばね棒である第１の取付部材１５は、第１実施形態と同様、時計バンド１０のバンド装着部１４に設けられた第１連通孔１４ｂにパイプ部１５ａを挿入させて、バンド装着部１４を腕時計ケース１のバンド取付部１３の一対の突起部２２間に配置させた際に、一対の係止ピン１５ｂをばね部材１５ｃのばね力によって押し出して一対の突起部２２の各第１取付孔２２ａに挿入させることができるので、時計バンド１０のバンド装着部１４を腕時計ケース１のバンド取付部１３に簡単にかつ確実に取り付けることができる。
【００８６】
また、第２の取付部材２１は、第１の取付部材１５と同様、パイプ部１５ａと、このパイプ部１５ａの両端部に出没可能に設けられた一対の係止ピン１５ｂと、パイプ部１５ａの内部に設けられて一対の係止ピン１５ｂを弾力的に押し出す方向に付勢するばね部材１５ｃと、を備えたばね棒であることにより、時計バンド１０のバンド装着部１４を腕時計ケース１のバンド取付部１３に確実に取り付けることができると共に、第２の取付部材２１を第１の取付部材１５と同じ大きさで同じ形状に形成することができるので、部品の共通化を図ることができる。
【００８７】
すなわち、この第２の取付部材２１は、第１の取付部材１５と同様、時計バンド１０のバンド装着部１４に設けられた第２連通孔１４ｃにパイプ部１５ａを挿入させて、バンド装着部１４を腕時計ケース１のバンド取付部１３の一対の突起部２２間に配置させた際に、一対の係止ピン１５ｂをばね部材１５ｃのばね力によって押し出して一対の突起部２２の各第２取付孔２２ｂに挿入させることができるので、時計バンド１０のバンド装着部１４を腕時計ケース１のバンド取付部１３に簡単にかつ確実に取り付けることができる。
【００８８】
この場合、このバンド取付装置２０では、ばね棒である第１の取付部材１５によってバンド装着部１４をバンド取付部１３に取り付け、この第１の取付部材１５を中心にバンド装着部１４を回転させてバンド取付部１３の下側に向けて変形させて変位させることができ、この変位したバンド装着部１４にばね棒である第２の取付部材２１のパイプ部１５ａを挿入させた状態で、変形したバンド装着部１４を元の形状に復帰させて、バンド取付部１３の各突起部２２間に再び配置させることができる。
【００８９】
このため、このバンド取付装置２０では、バンド取付部１３の各突起部２２間に配置されたバンド装着部１４に取り付けられた第２の取付部材２１の一対の係止ピン１５ｂを、ばね部材１５ｃのばね力によってバンド取付部１３の各第２取付孔２２ｂに挿入させて係止させることができるので、第１の取付部材１５と第２の取付部材２１とによってバンド装着部１４をバンド取付部１３に確実にかつ良好に取り付けることができる。
【００９０】
（変形例）
次に、図６を参照して、この発明を腕時計に適用した第２実施形態の変形例について説明する。この場合には、図４および図５に示された第２実施形態と同一部分に同一符号を付して説明する。
この腕時計は、図６に示すように、バンド取付装置２５における時計バンド１０のバンド装着部２６が第２実施形態と異なる構成であり、これ以外は第２実施形態とほぼ同じ構成になっている。
【００９１】
すなわち、時計バンド１０のバンド装着部２６は、図６に示すように、腕時計ケース１のバンド取付部１３における一対の突起部２２間に配置され、この状態で第１の取付部材１５と第２の取付部材２１とによって、第２実施形態と同様にバンド取付部１３に取り付けられるように構成されている。
【００９２】
この場合、バンド装着部２６には、図６に示すように、第１の取付部材１５のパイプ部１５ａが挿入する第１連通孔２６ａが、一対の突起部２２に設けられた各第１取付孔２２ａと同一軸上に対応して設けられている。また、このバンド装着部２６には、第２の取付部材２１のパイプ部１５ａが挿入する第２連通孔２６ｂが、一対の突起部２２に設けられた各第２取付孔２２ｂと同一軸上に対応して設けられている。
【００９３】
ところで、このバンド装着部２６は、図６に示すように、腕時計ケース１のバンド取付部１３における一対の突起部２２間に配置されて、第１の取付部材１５によってバンド取付部１３に取り付けられた際に、この第１の取付部材１５を中心にバンド装着部２６がバンド取付部１３に対して当接することなく回転する形状に形成されている。
【００９４】
すなわち、このバンド装着部２６は、図６に示すように、腕時計ケース１側に位置する端部２６ｃが第１の取付部材１５を中心とする円弧状に形成されている。この場合、バンド装着部２６は、その円弧状の端部２６ｃがバンド取付部１３に対応するケース本体２の下端部の縁部に接触した状態で第１の取付部材１５を中心に回転し、バンド装着部２６の上面がバンド取付部１３に対応するケース本体２と外装部材３との庇部１ａの下面に接離可能に当接するように構成されている。
【００９５】
次に、このような腕時計のバンド取付装置２５の作用について説明する。
このバンド取付装置２５によって腕時計ケース１に時計バンド１０を取り付ける場合には、第２実施形態と同様、第１の取付部材１５と第２の取付部材２１とのうち、例えば第１の取付部材１５によって腕時計ケース１のバンド取付部１３に時計バンド１０のバンド装着部１４を取り付ける。
【００９６】
このときには、第２実施形態と同様、時計バンド１０のバンド装着部２６に設けられた第１連通孔２６ａに第１の取付部材１５のパイプ部１５ａを挿入させ、バンド装着部１４の両側部から突出した第１の取付部材１５の一対の係止ピン１５ｂをばね部材１５ｃのばね力に抗してパイプ部１５ａの両端部内に押し込む。この状態で、第１の取付部材１５が取り付けられた時計バンド１０のバンド装着部２６を腕時計ケース１のバンド取付部１３における一対の突起部２２間に配置させる。
【００９７】
そして、腕時計ケース１のバンド取付部１３における一対の突起部２２の各第１取付孔２２ａと時計バンド１０のバンド装着部２６の第１連通孔２６ａとを同一軸上に対応させる。すると、バンド装着部２６の第１連通孔２６ａ内に挿入された第１の取付部材１５の一対の係止ピン１５ｂがばね部材１５ｃのばね力によってパイプ部１５ａの両端部から押し出されて一対の突起部２２の各第１取付孔２２ａにそれぞれ挿入される。
【００９８】
これにより、第２実施形態と同様、時計バンド１０のバンド装着部２６に設けられた第１連通孔２６ａに第１の取付部材１５のパイプ部１５ａが挿入され、かつ第１の取付部材１５の一対の係止ピン１５ｂが腕時計ケース１のバンド取付部１３における一対の突起部２２の各第１取付孔２２ａに挿入されていることにより、第１の取付部材１５によって時計バンド１０のバンド装着部２６が腕時計ケース１のバンド取付部１３に回転可能な状態で取り付けられる。
【００９９】
そして、第２の取付部材２１によって腕時計ケース１のバンド取付部１３に時計バンド１０のバンド装着部１４を取り付ける。このときには、バンド装着部２６の端部２６ｃが第１の取付部材１５つまり第１連通孔２６ａを中心とする円弧状に形成されているため、第１の取付部材１５を中心にバンド装着部２６を円滑にかつ良好に矢印Ｘ方向に回転させることができる。これにより、バンド装着部２６の第２連通孔２６ｂ側をバンド取付部１３の下側に向けて回転移動させ、バンド装着部２６の第２連通孔２６ｂを容易に露出させることができる。
【０１００】
この状態で、バンド装着部２６の第２連通孔２６ｂに第２の取付部材２１のパイプ部１５ａを挿入させて、バンド装着部１４の両側部から突出した第２の取付部材２１の一対の係止ピン１５ｂをばね部材１５ｃのばね力に抗してパイプ部１５ａの両端部内に押し込む。この状態で、バンド取付部１３の下側に向けて回転移動したバンド装着部２６を矢印Ｙ方向に回転させて、第２の取付部材２１が取り付けられたバンド装着部２６を腕時計ケース１のバンド取付部１３における一対の突起部２２間に再び配置させる。
【０１０１】
そして、腕時計ケース１のバンド取付部１３における一対の突起部２２の各第２取付孔２２ｂと時計バンド１０のバンド装着部２６の第２連通孔２６ｂとを同一軸上に対応させる。すると、バンド装着部２６の第２連通孔２６ｂ内に挿入された第２の取付部材２１の一対の係止ピン１５ｂが、ばね部材１５ｃのばね力によってそれぞれパイプ部１５ａの両端部から押し出されて一対の突起部２２の各第２取付孔２２ｂに挿入される。
【０１０２】
これにより、第２の取付部材２１が、腕時計ケース１のバンド取付部１３における一対の突起部２２の各第２取付孔２２ｂと、これに対応する時計バンド１０のバンド装着部２６の第２連通孔２６ｂと、に挿入されていることにより、第１の取付部材１５の近傍において、第２取付部材２１が時計バンド１０のバンド装着部１４を腕時計ケース１のバンド取付部１３に取り付ける。
【０１０３】
この状態では、腕時計ケース１のバンド取付部１３に時計バンド１０のバンド装着部２６が、互いに異なる位置の第１の取付部材１５と第２の取付部材２１とによって取り付けられていることにより、時計バンド１０のバンド装着部２６が腕時計ケース１のバンド取付部１３に対して回転したり変形したりすることがない。
【０１０４】
このため、時計バンド１０のバンド装着部１４が第１の取付部材１５と第２の取付部材２１とによって腕時計ケース１のバンド取付部１３に固定されているので、第２実施形態と同様、時計バンド１０が軟質の合成樹脂で形成されていても、腕時計を腕に取り付けた際、または取り外した際に、時計バンド１０のバンド装着部２６が回転したり変形したりすることがない。これにより、時計バンド１０と腕時計ケース１との合わせ目に隙間が生じることがないので、時計バンド１０と腕時計ケース１との一体感が得られる。
【０１０５】
なお、上述した第２実施形態およびその変形例では、第１の取付部材１５で時計バンド１０のバンド装着部１４、２６を腕時計ケース１のバンド取付部１３に取り付けた後に、第２の取付部材２１で時計バンド１０のバンド装着部１４、２６を腕時計ケース１のバンド取付部１３に取り付けた場合について述べたが、この発明はこれに限られない。
【０１０６】
例えば、第２の取付部材２１によって、まず、時計バンド１０のバンド装着部１４、２６を腕時計ケース１のバンド取付部１３に取り付け、この状態で第１の取付部材１５によって時計バンド１０のバンド装着部１４、２６を腕時計ケース１のバンド取付部１３に取り付けるようにしても良い。
【０１０７】
また、この発明は、上述した取付手順に限らず、第１の取付部材１５と第２の取付部材２１とで、同時に時計バンド１０のバンド装着部１４、２６を腕時計ケース１のバンド取付部１３に取り付けても良い。この場合には、まず、第１の取付部材１５と第２の取付部材２１との各パイプ部１５ａをバンド装着部１４、２６の第１連通孔１４ｂ、２６ａと第２連通孔１４ｃ、２６ｂとにそれぞれ挿入させる。
【０１０８】
この状態で、各一対の係止ピン１５ｂを各パイプ部１５ａに押し込んで、バンド装着部１４、２６をバンド取付部１３の一対の突起部２２間に配置させて、バンド装着部１４、２６の第１連通孔１４ｂ、２６ａと第２連通孔１４ｃ、２６ｂとをバンド取付部１３の第１取付孔２２ａと第２取付孔２２ｂとに対応させることにより、各一対の係止ピン１５ｂを一対の突起部２２の各第１取付孔２２ａと各第２取付孔２２ｂとに同時に挿入させるようにすれば良い。
【０１０９】
（第３実施形態）
次に、図７および図８を参照して、この発明を腕時計に適用した第３実施形態について説明する。この場合にも、図４および図５に示された第２実施形態と同一部分には同一符号を付して説明する。
この腕時計は、図７および図８に示すように、バンド取付装置３０のバンド取付部３１が第２実施形態と異なる構成であり、これ以外は第２実施形態とほぼ同じ構成になっている。
【０１１０】
このバンド取付部３１は、図７および図８に示すように、腕時計ケース１のケース本体２の外周面から突出して設けられた一対の突起部３２と、これら一対の突起部３２の各対向面に設けられて、ケース本体２側から一対の突起部３２よりも長く突出する一対の補助部材３３と、を備え、これら一対の補助部材３３間に時計バンド１０のバンド装着部１４が配置されるように構成されている。
【０１１１】
この場合、一対の突起部３２は、図７および図８に示すように、ケース本体２の外周面から突出する長さが、第２実施形態の各突起部２２の突出長さよりも短く形成されている。これら一対の突起部３２は、その各対向面それぞれに各補助部材３３が配置される取付凹部３４が、外部に突出する先端側からケース本体２側に亘って設けられた構成になっている。この取付凹部３４におけるケース本体２側に位置する端部には、抜止め凹部３４ａが上下方向に突出して設けられている。
【０１１２】
一対の補助部材３３は、図７および図８に示すように、一対の突起部３２の各取付凹部３４に配置されるほぼ長方形の金属板であり、一対の突起部３２から突出する先端側が円弧状に形成されている。すなわち、これら一対の補助部材３３は、その上下方向の長さが、一対の突起部３２の各取付凹部３４の上下方向の長さと同じ長さで、時計バンド１０の長手方向の長さが、ケース本体２から突出する一対の突起部３２の突出長さよりも長く形成されている。このように一対の補助部材３３により、一対の突起部３２の突出する長さを第１の実施形態のように短くすることができる。また、第２の実施形態のように一対の突起部３２の突出する長さを長くしても良い。
【０１１３】
また、これら一対の補助部材３３は、図７および図８に示すように、ケース本体２側に位置する各端部に抜止め部３５がそれぞれ上下方向に突出して設けられ、この抜止め部３５が一対の突起部３２に設けられた各取付凹部３４の各抜止め凹部３４ａ内に配置されるように構成されている。この場合、一対の補助部材３３は、一対の突起部３２の各取付凹部３４内に両面接着テープなどの接着剤（図示せず）によって貼り付けられるように構成されている。
【０１１４】
これにより、一対の補助部材３３は、図７および図８に示すように、一対の突起部３２の各取付凹部３４内に両面接着テープなどの接着剤（図示せず）によって貼り付けられた状態で、一対の突起部３２間に時計バンド１０のバンド装着部１４が配置されることにより、バンド装着部１４によって一対の突起部３２の各取付凹部３４内に押し付けられて固定されるように構成されている。
【０１１５】
このため、これら一対の補助部材３３は、図７および図８に示すように、一対の突起部３２から時計バンド１０の長手方向に突出していても、一対の突起部３２の各取付凹部３４内に配置されていることにより、上下方向にガタツクことがなく、かつ抜止め部３５が取付凹部３４の抜止め凹部３４ａ内に配置されて係止されていることにより、時計バンド１０の長手方向に沿って抜け出すことがなく、一対の突起部３２の各取付凹部３４内に確実に固定されるように構成されている。
【０１１６】
ところで、これら一対の補助部材３３には、図７および図８に示すように、第１の取付部材１５の係止ピン１５ｂが挿入する第１補助取付孔３３ａと、第２の取付部材２１の係止ピン１５ｂが挿入する第２補助取付孔３３ｂと、が時計バンド１０の長手方向にそれぞれ並んで設けられている。
【０１１７】
すなわち、第１補助取付孔３３ａは、図７および図８に示すように、時計バンド１０のバンド装着部１４の第１連通孔１４ｂと同一軸上に対応して設けられている。この第１補助取付孔３３ａは、ケース本体２に近い箇所に設けられて、一対の突起部３２で覆われるように構成されている。このため、一対の突起部３２には、第１の取付部材１５の係止ピン１５ｂが挿入する第１取付孔３２ａが設けられていることが望ましい。
【０１１８】
第２補助取付孔３３ｂは、図７および図８に示すように、時計バンド１０のバンド装着部１４の第２連通孔１４ｃと同一軸上に対応して設けられている。この第２補助取付孔３３ｂは、ケース本体２から第１補助取付孔３３ａよりも時計バンド１０の長手方向に離れて、一対の突起部３２から突出した箇所に設けられ、一対の突起部３２で覆われることなく外部に露出するように構成されている。
【０１１９】
次に、このような腕時計のバンド取付装置３０の作用について説明する。
このバンド取付装置３０によって腕時計ケース１に時計バンド１０を取り付ける場合には、予め、腕時計ケース１のバンド取付部３１における一対の突起部３２の各対向面に一対の補助部材３３を取り付ける。
【０１２０】
このときには、一対の補助部材３３の各抜止め部３５を一対の突起部３２の各対向面に設けられた各取付凹部３４の各抜止め凹部３４ａに対応させた状態で、一対の補助部材３３を一対の突起部３２の各取付凹部３４内に両面接着テープなどの接着剤（図示せず）によってそれぞれ貼り付ける。
【０１２１】
これにより、一対の補助部材３３が一対の突起部３２から時計バンド１０の長手方向に突出した状態で、一対の突起部３２の各取付凹部３４内に配置される。このため、一対の補助部材３３は、上下方向にガタツクことがなく、かつ抜止め部３５が取付凹部３４の抜止め凹部３４ａ内に配置されて係止されていることにより、時計バンド１０の長手方向に沿って抜け出すことがなく、一対の突起部３２の各取付凹部３４内に固定される。
【０１２２】
そして、腕時計ケース１のバンド取付部３１に時計バンド１０のバンド装着部１４を取り付ける場合には、第１の取付部材１５と第２の取付部材２１とのうち、例えば第１の取付部材１５によって腕時計ケース１のバンド取付部３１に時計バンド１０のバンド装着部１４を取り付ける。
【０１２３】
このときには、第２実施形態と同様、時計バンド１０のバンド装着部１４に設けられた第１連通孔１４ｂに第１の取付部材１５のパイプ部１５ａを挿入させ、バンド装着部１４の両側部から突出した第１の取付部材１５の一対の係止ピン１５ｂをばね部材１５ｃのばね力に抗してパイプ部１５ａの両端部内に押し込む。この状態で、第１の取付部材１５が取り付けられた時計バンド１０のバンド装着部１４を腕時計ケース１のバンド取付部３１における一対の突起部３２の各対向面に固定された一対の補助部材３３間に配置させる。
【０１２４】
そして、腕時計ケース１のバンド取付部３１における一対の突起部３２に固定された一対の補助部材３３の各第１補助取付孔３３ａと時計バンド１０のバンド装着部１４の第１連通孔１４ｂとを同一軸上に対応させる。すると、バンド装着部１４の第１連通孔１４ｂ内に挿入された第１の取付部材１５の一対の係止ピン１５ｂがばね部材１５ｃのばね力によってそれぞれパイプ部１５ａの両端部から押し出されて一対の補助部材３３の各第１補助取付孔３３ａにそれぞれ挿入されると共に、一対の突起部３２の各第１取付孔３２ａに挿入される。
【０１２５】
これにより、第２実施形態と同様、時計バンド１０のバンド装着部１４に設けられた第１連通孔１４ｂに第１の取付部材１５のパイプ部１５ａが挿入され、かつ第１の取付部材１５の一対の係止ピン１５ｂが腕時計ケース１のバンド取付部３１における一対の突起部３２にそれぞれ固定された一対の補助部材３３の各第１補助取付孔３３ａに挿入されていることにより、第１の取付部材１５によって時計バンド１０のバンド装着部１４が腕時計ケース１のバンド取付部３１における一対の補助部材３３に取り付けられる。
【０１２６】
このときにも、時計バンド１０の端部に設けられた第１当接部１０ａがケース本体２の下部に下側から弾接し、第２当接部１０ｂがバンド取付部１３の先端上部に位置するケース本体２と外装部材３との庇部１ａに下側から弾接する。このため、時計バンド１０のバンド装着部１４が第１の取付部材１５を中心に腕時計ケース１のバンド取付部３１における一対の補助部材３３に対して回転しないように取り付けられる。
【０１２７】
そして、第２の取付部材２１によって腕時計ケース１のバンド取付部３１に時計バンド１０のバンド装着部１４を取り付ける。このときには、ケース本体２の下部に弾接している第１当接部１０ａの弾力と、ケース本体２と外装部材３との庇部１ａに弾接している第２当接部１０ｂの弾力とに抗して、第１の取付部材１５を中心にバンド装着部１４を回転させることにより、バンド装着部１４をバンド取付部３１の下側に向けて変形させて変位させて、バンド装着部１４の第２連通孔１４ｃを露出させる。
【０１２８】
この状態で、バンド装着部１４の第２連通孔１４ｃに第２の取付部材２１のパイプ部１５ａを挿入させる。そして、バンド装着部１４の両側部から突出した第２の取付部材２１の一対の係止ピン１５ｂをばね部材１５ｃのばね力に抗してパイプ部１５ａの両端部内に押し込む。この状態で、変形したバンド装着部１４の形状を元の形状に復帰させて、第２の取付部材２１が取り付けられた時計バンド１０のバンド装着部１４を腕時計ケース１のバンド取付部３１における一対の突起部３２に固定された一対の補助部材３３間に再び配置させる。
【０１２９】
そして、腕時計ケース１のバンド取付部３１における一対の突起部３２に固定された一対の補助部材３３の各第２補助取付孔３３ｂと時計バンド１０のバンド装着部１４の第２連通孔１４ｃとを同一軸上に対応させる。すると、バンド装着部１４の第２連通孔１４ｃ内に挿入された第２の取付部材２１の一対の係止ピン１５ｂが、ばね部材１５ｃのばね力によってそれぞれパイプ部１５ａの両端部から押し出されて一対の補助部材３３の各第２補助取付孔３３ｂに挿入される。
【０１３０】
これにより、第１の取付部材１５と同様、腕時計ケース１のバンド取付部３１における一対の突起部３２に固定された一対の補助部材３３の各第２補助取付孔３３ｂに第２の取付部材２１の各係止ピン１５ｂが挿入し、時計バンド１０のバンド装着部１４の第２連通孔１４ｃに第２の取付部材２１のパイプ部１５ａが挿入される。このため、第１の取付部材１５の近傍において、第２取付部材２１によって時計バンド１０のバンド装着部１４が腕時計ケース１のバンド取付部１３における一対の補助部材３３に取り付けられる。
【０１３１】
このような腕時計を時計バンド１０によって腕に取り付けて使用する際には、腕時計ケース１のバンド取付部３１における一対の突起部３２の各対向面に設けられた一対の補助部材３３に、時計バンド１０のバンド装着部１４が第１の取付部材１５と第２の取付部材２１とによって取り付けられていることにより、時計バンド１０のバンド装着部１４が腕時計ケース１のバンド取付部３１に対して回転したり変形したりすることがない。
【０１３２】
このため、時計バンド１０のバンド装着部１４が第１の取付部材１５と第２の取付部材２１とによって腕時計ケース１のバンド取付部３１における一対の補助部材３３に固定されているので、第２実施形態と同様、時計バンド１０が軟質の合成樹脂で形成されていても、腕時計を腕に取り付けた際、また取り外した際に、時計バンド１０のバンド装着部１４が回転したり変形したりすることがない。これにより、時計バンド１０と腕時計ケース１との合わせ目に隙間が生じることがないので、時計バンド１０と腕時計ケース１との一体感が得られる。
【０１３３】
このように、この腕時計のバンド取付装置３０によれば、腕時計ケース１のバンド取付部３１の両側部に一対の補助部材３３を時計バンド１０の長手方向に延長させて設け、これら一対の補助部材３３に時計バンド１０のバンド装着部１４を、互いに異なる位置の第１の取付部材１５と第２の取付部材２１とで取り付けていることにより、第２実施形態と同様、時計バンド１０と腕時計ケース１との一体感を得ることができる。
【０１３４】
すなわち、この腕時計のバンド取付装置３０では、第２実施形態と同様、互いに異なる位置の第１の取付部材１５と第２の取付部材２１とによって、腕時計ケース１のバンド取付部３１に設けられた一対の補助部材３３に時計バンド１０のバンド装着部１４を取り付けているので、これら第１の取付部材１５と第２の取付部材２１とによって、時計バンド１０のバンド装着部１４を腕時計ケース１のバンド取付部３１に対して回転しないように取り付けることができる。
【０１３５】
このため、この腕時計のバンド取付装置３０では、第２実施形態と同様、時計バンド１０が軟質の合成樹脂で形成されていても、腕時計を腕に取り付けた際、また取り外した際に、バンド装着部１４がバンド取付部３１に対して回転したり変形したりすることがないので、時計バンド１０と腕時計ケース１との合わせ目に隙間が生じないようにすることができ、これにより時計バンド１０と腕時計ケース１との一体感を得ることができる。
【０１３６】
この場合、この腕時計のバンド取付装置３０では、腕時計ケース１のバンド取付部３１が、ケース本体２から外部に突出する一対の突起部３２を備え、これら一対の突起部３２の各対向面に各取付凹部３４が設けられ、これら各取付凹部３４内に一対の補助部材３３が配置されて一対の突起部３２から時計バンド１０の長手方向に突出し、この状態で一対の補助部材３３の各抜止め部３５が各取付凹部３４に設けられた抜止め凹部３４ａに係止されて両面接着テープなどの接着剤で貼り付けられた構成であるから、一対の補助部材３３を一対の突起部３２の各対向面に確実に固定することができる。
【０１３７】
すなわち、一対の補助部材３３は、一対の突起部３２から時計バンド１０の長手方向に突出していても、一対の突起部３２の各取付凹部３４内に配置されていることにより、上下方向にガタツクことがなく、かつ抜止め部３５が取付凹部３４の抜止め凹部３４ａ内に配置されて係止されていることにより、時計バンド１０の長手方向に沿って抜け出すことがなく、一対の突起部３２の各取付凹部３４内に一対の補助部材３３を確実に固定することができる。
【０１３８】
この場合、一対の補助部材３３は、一対の突起部３２の各取付凹部３４内に両面接着テープなどの接着剤で貼り付けられていても、これら一対の補助部材３３間に時計バンド１０のバンド装着部１４が配置されることにより、このバンド装着部１４によって一対の補助部材３３を一対の突起部３２の各取付凹部３４内に押し付けることができるので、一対の突起部３２の各取付凹部３４内に一対の補助部材３３を確実に固定することができる。
【０１３９】
また、このバンド取付装置３０では、一対の補助部材３３に第１の取付部材１５の係止ピン１５ｂが挿入する第１補助取付孔３３ａと、第２の取付部材２１の係止ピン１５ｂが挿入する第２補助取付孔３３ｂと、が時計バンド１０の長手方向にそれぞれ並んで設けられていることにより、第１の取付部材１５と第２の取付部材２１とで時計バンド１０のバンド装着部１４を腕時計ケース１のバンド取付部３１に設けられた一対の補助部材３３に取り付けることができ、これにより時計バンド１０を腕時計ケース１に対して確実に取り付けることができる。
【０１４０】
すなわち、このバンド取付装置３０では、第１の取付部材１５と第２の取付部材２１との各パイプ部１５ａがバンド装着部１４の第１連通孔１４ｂと第２連通孔１４ｃとにそれぞれ挿入され、かつ第１の取付部材１５と第２の取付部材２１との各一対の係止ピン１５ｂがバンド取付部３１の一対の突起部３２の各対向面に固定された一対の補助部材３３の第１補助取付孔３３ａと第２補助取付孔３３ｂとに挿入されることにより、時計バンド１０を腕時計ケース１に対して確実に取り付けることができる。
【０１４１】
この場合、このバンド取付装置３０では、第１の取付部材１５によってバンド装着部１４をバンド取付部１３の各補助部材３３に取り付け、この第１の取付部材１５を中心にバンド装着部１４を回転させることにより、このバンド装着部１４を一対の補助部材３３の下側に向けて変形させて変位させることができ、この変位したバンド装着部１４に第２の取付部材２１のパイプ部１５ａを挿入させることができ、この状態で変形したバンド装着部１４を元の形状に戻して一対の補助部材３３間に再び配置させることができる。
【０１４２】
このため、このバンド取付装置３０では、第２の取付部材２１の一対の係止ピン１５ｂを一対の補助部材３３の各第２補助取付孔３３ｂに挿入させて係止させることができるので、第１の取付部材１５と第２の取付部材２１とによってバンド装着部１４をバンド取付部１３の各補助部材３３に確実にかつ良好に取り付けることができる。
【０１４３】
なお、上述した第３実施形態では、時計バンド１０のバンド装着部１４に設けられた第１当接部１０ａがケース本体２の下部に弾接し、バンド装着部１４に設けられた第２当接部１０ｂがバンド取付部１３の先端上部に位置するケース本体２と外装部材３との庇部１ａに弾接するように構成されている場合について述べたが、この発明はこれに限らず、例えば第２実施形態の変形例のように、バンド装着部１４の端部を円弧状に形成して、第１の取付部材１５を中心にバンド装着部１４が回転し易くなるように構成しても良い。
【０１４４】
また、上述した第３実施形態では、第１の取付部材１５で時計バンド１０のバンド装着部１４を腕時計ケース１のバンド取付部３１の一対の補助部材３３に取り付けた後に、第２の取付部材２１で時計バンド１０のバンド装着部１４を一対の補助部材３３に取り付けた場合について述べたが、この発明はこれに限られない。
【０１４５】
例えば、第２の取付部材２１によって時計バンド１０のバンド装着部１４をバンド取付部３１の一対の補助部材３３に取り付け、この状態で第１の取付部材１５によって時計バンド１０のバンド装着部１４をバンド取付部３１の一対の補助部材３３に取り付けるようにしても良い。
【０１４６】
また、この発明は、上述した取付手順に限らず、第１の取付部材１５と第２の取付部材２１とによって、同時に時計バンド１０のバンド装着部１４を腕時計ケース１のバンド取付部３１に設けられた一対の補助部材３３に取り付けるようにしても良い。
【０１４７】
この場合には、第１の取付部材１５と第２の取付部材２１との各パイプ部１５ａをバンド装着部１４の第１連通孔１４ｂと第２連通孔１４ｃとにそれぞれ挿入させ、この状態で各一対の係止ピン１５ｂを各パイプ部１５ａに押し込んで、バンド装着部１４をバンド取付部３１の一対の補助部材３３間に配置させて、各一対の係止ピン１５ｂを一対の補助部材３３の第１補助取付孔３３ａと第２補助取付孔３３ｂとに同時に挿入させれば良い。
【０１４８】
また、上述した第１〜第３実施形態では、腕時計ケース１のバンド取付部１３、３１が一対の突起部１３ａ、２２、３２を備え、これら一対の突起部１３ａ、２２、３２間に時計バンド１０のバンド装着部１４、２６を配置させるように構成した場合について述べたが、この発明はこれに限らない。
【０１４９】
例えば、時計バンド１０のバンド装着部１４、２６を凹部状に形成することにより、バンド装着部１４、２６に一対の突起部を形成し、この一対の突起部間に腕時計ケース１のバンド取付部を配置させるように構成しても良い。この場合には、バンド取付部の両側部に一対の補助部材３３を設けるようにすれば良い。
【０１５０】
さらに、上述した第１〜第３実施形態では、第１の取付部材１５と第２取付部材２１とがばね棒である場合について述べたが、この発明は必ずしもばね棒である必要はなく、例えば棒状のピン部材であっても良く、またねじ部材であっても良い。また、第１の取付部材１５は、ばね棒やピン部材ではなく、例えば、時計バンド１０のバンド装着部１４、２６に突起部等が設けられ、時計バンド１０のバンド装着部１４、２６がバンド取付部１３、３１、補助部材３３に嵌合して固定する構造であっても良い。
【０１５１】
なおまた、上述した第１〜第３実施形態およびその変形例では、腕時計に適用した場合について述べたが、この発明は必ずしも腕時計である必要はなく、例えば腕に装着して使用する腕装着装置や、バッグ、鞄などにも適用することができる。
【０１５２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１５３】
（付記）
請求項１に記載の発明は、バンド取付部が設けられたケースと、前記バンド取付部に配置され、前記ケースに当接または接近する境界部が表面に設けられたバンドと、前記バンドを前記バンド取付部に固定する第１の取付部材と、前記第１の取付部材の近傍に位置して、前記バンドを前記ケースに対して取り付ける第２の取付部材と、を備え、前記第１の取付部材は、前記バンドの前記境界部より前記ケース側に備えていることを特徴とするバンド取付装置である。
【０１５４】
請求項３に記載の発明は、請求項１または請求項２に記載のバンド取付装置において、前記第１の取付部材は、前記バンド取付部に設けられた取付孔と前記バンド装着部に前記取付孔と同一軸上に対応して設けられた連通孔とに挿入するピン状部材であり、前記第２の取付部材は、前記バンドに係止されて前記ケースの外面に配置されることにより、前記ケースを保護する線状のプロテクタの一部であることを特徴とするバンド取付装置である。
【０１５５】
請求項４に記載の発明は、請求項３に記載のバンド取付装置において、前記バンドには、前記第２の取付部材である前記プロテクタの前記一部を係止する係止部が設けられていることを特徴とするバンド取付装置である。
【０１５６】
請求項５に記載の発明は、請求項１または請求項２に記載のバンド取付装置において、前記第１の取付部材は、前記バンド取付部に設けられた第１の取付孔と前記バンド装着部に前記第１の取付孔と同一軸上に対応して設けられた第１の連通孔とに挿入するピン状部材であり、前記第２の取付部材は、前記バンド取付部に設けられた第２の取付孔と前記バンド装着部に前記第２の取付孔と同一軸上に対応して設けられた第２の連通孔とに挿入するピン状部材であることを特徴とするバンド取付装置である。
【０１５７】
請求項６に記載の発明は、請求項５に記載のバンド取付装置において、前記バンド取付部の両側部に一対の補助部材が前記バンドの長手方向に延長されて設けられ、前記一対の補助部材間に前記バンド装着部が前記第１の取付部材と前記第２の取付部材とによって取り付けられていることを特徴とするバンド取付装置である。
【０１５８】
請求項７に記載の発明は、請求項５または請求項６に記載のバンド取付装置において、前記第１の取付部材と前記第２の取付部材との前記ピン状部材は、パイプ部の両端部に係止ピンが出没可能に弾力的に突出して設けられたばね棒であることを特徴とするバンド取付装置である。
【０１５９】
請求項８に記載の発明は、請求項５〜請求項７のいずれかに記載のバンド取付装置において、前記第１の取付部材と前記第２の取付部材とはそれぞれ前記ばね棒であり、前記２本のばね棒のうち、１本のばね棒で前記バンド装着部を前記バンド取付部に対して取り付け、この取り付けられた前記１本のばね棒を中心に前記バンド装着部を回転させて前記バンド取付部に対して変位させ、この変位した前記バンド装着部に他の１本のばね棒の前記パイプ部を挿入させた上、前記バンド取付部に対する前記バンド装着部の変位を元の状態に戻して前記他の１本のばね棒の前記係止ピンを前記バンド取付部に対して係止させることにより、前記２本のばね棒で前記バンド装着部を前記バンド取付部に取り付けたことを特徴とするバンド取付装置である。
【０１６０】
請求項９に記載の発明は、請求項１〜請求項８のいずれかに記載されたバンド取付装置を備えていることを特徴とする時計である。
【符号の説明】
【０１６１】
１  腕時計ケース
２  ケース本体
３  外装部材
１１、２０、２５、３０  バンド取付装置
１２  プロテクタ
１３、３１  バンド取付部
１３ａ  突起部
１３ｂ  取付孔
１４、２６  バンド装着部
１４ａ  連通孔
１４ｂ、２６ａ  第１連通孔
１４ｃ、２６ｂ  第２連通孔
１５  第１の取付部材
１５ａ  パイプ部
１５ｂ  係止ピン
１５ｃ  ばね部材
１６、２１  第２の取付部材
１７  係止部
２２、３２  突起部
２２ａ、３２ａ  第１取付孔
２２ｂ  第２取付孔
３３  補助部材
３３ａ  第１補助取付孔
３３ｂ  第２補助取付孔
３４  取付凹部
３４ａ  抜止め凹部
３５  抜止め部
【図１】
2018094019.tif 000003
【図２】
2018094019.tif 000004
【図３】
2018094019.tif 000005
【図４】
2018094019.tif 000006
【図５】
2018094019.tif 000007
【図６】
2018094019.tif 000008
【図７】
2018094019.tif 000009
【図８】
2018094019.tif 000010